(57)【特許請求の範囲】
【請求項１】
上面が開口する皿状で、内部に愛玩動物用の飲食物を入れる給餌容器本体と、
下端から上端に向けて徐々に外形を小さく形成した断面中空状の飲食物こぼれ防止壁とで構成し、
該飲食物こぼれ防止壁の下端に、前記給餌容器本体に装着する装着部を備えるとともに、
前記給餌容器本体の側壁部の上端に、前記飲食物こぼれ防止壁における前記装着部の装着を許容する被装着部を備え、
該被装着部の前記内部側に前記装着部を着脱自在に嵌合して構成した
愛玩動物用給餌容器。
【請求項２】
前記給餌容器本体の前記被装着部に、前記内部側に嵌合する前記飲食物こぼれ防止壁の前記装着部の下端を支持する支持部を備えた
請求項１に記載の愛玩動物用給餌容器。
【請求項３】
前記給餌容器本体の底板を、可撓性を有する材料で構成し、
前記底板に、環状の接地部と、該接地部の環内で上方に凹む凹部とを備え、
少なくとも前記接地部に、合成樹脂製の密着部材を備えた
請求項１または２に記載の愛玩動物用給餌容器。
【請求項４】
前記飲食物こぼれ防止壁の上端を封止する蓋体を備えた
請求項１から３のうちいずれか一項に記載の愛玩動物用給餌容器。
【請求項５】
請求項２から４のうちいずれか一項に記載の愛玩動物用給餌容器と、
該愛玩動物用給餌容器における前記給餌容器本体の前記側壁部の外周を囲うとともに、前記愛玩動物用給餌容器を愛玩動物用ケージに取り付け可能な略環状の容器取り付け構造とで構成し、
前記給餌容器本体における前記被装着部を、前記支持部が前記側壁部の外側に突出する突出被装着部とし、
前記愛玩動物用給餌容器における前記給餌容器本体に、前記側壁部から水平方向外側に突出する突出部を備え、
前記突出被装着部と前記突出部とを、互いの間で前記容器取り付け構造を挟持可能に形成した
容器取り付け構造付き愛玩動物用給餌容器。
【発明の詳細な説明】
【技術分野】
【０００１】
この発明は、愛玩動物用の餌や水などの飲食物を入れて、愛玩動物に飲食させるための愛玩動物用給餌容器に関する。
【背景技術】
【０００２】
従来、幼児、高齢者や要介護者、あるいは愛玩動物に、食べ物や飲み物などの飲食物を飲食させる場合、飲食物を入れた容器から飲食物がこぼれ落ちると、飲食後の掃除が大変であった。  
このような飲食後の掃除の労力を軽減するため、飲食物を容器から食べこぼすことを防止する方法として、特許文献１に記載の食べこぼし防止用具が提案されている。
【０００３】
特許文献１に記載の食べこぼし防止用具は、上方および下方が開口し、上方に向けて徐々に外形が小さくなるように傾斜しており、下方側を、飲食物を入れる食器の上縁側の外周を取り巻くように装着するとされている。
【０００４】
このような食べこぼし防止用具を装着した食器は、高さが増すことで飲食物がこぼれ落ち難くなったり、また、スプーンを用いて飲食する場合は、食べこぼし防止用具の傾斜部分で過剰にすくった飲食物を落としたりすることができる。
【０００５】
しかし、特許文献１に記載の食べこぼし防止用具のように、食器の上縁側の外周を取り巻く構成である場合、食器の内部に入れた液状の飲食物は、食器の上縁に達すると、食器と食べこぼし防止用具との間から外部にしみ出るおそれがあり、このような場合においても、飲食後の掃除が大変であった。
【０００６】
特に、飲食物を飲食させる対象が愛玩動物である場合、愛玩動物は、該愛玩動物用の餌や水（以下、愛玩動物用飲食物と称する）を、舌や口で直接飲食するため、愛玩動物用飲食物が、愛玩動物用給餌容器の上縁に達することは容易である。
【０００７】
したがって、特許文献１に記載のような食べこぼし防止用具を愛玩動物用給餌容器に装着しても、食べこぼし防止用具と愛玩動物用給餌容器との間から液状の愛玩動物用飲食物などがしみ出るおそれがあり、飲食後の掃除が大変であった。
【先行技術文献】
【特許文献】
【０００８】
【特許文献１】特開２０１２−６６０３５号公報
【発明の概要】
【発明が解決しようとする課題】
【０００９】
そこで本発明は、愛玩動物用飲食物が食べこぼれることを防止する愛玩動物用給餌容器を提供することを主な目的とする。
【課題を解決するための手段】
【００１０】
この発明は、上面が開口する皿状で、内部に愛玩動物用の飲食物を入れる給餌容器本体と、下端から上端に向けて徐々に外形を小さく形成した断面中空状の飲食物こぼれ防止壁とで構成し、該飲食物こぼれ防止壁の下端に、前記給餌容器本体に装着する装着部を備えるとともに、前記給餌容器本体の側壁部の上端に、前記飲食物こぼれ防止壁における前記装着部の装着を許容する被装着部を備え、該被装着部の前記内部側に前記装着部を着脱自在に嵌合して構成した愛玩動物用給餌容器であることを特徴とする。
【００１１】
この発明により、愛玩動物用給餌容器は、給餌容器本体から愛玩動物用飲食物が食べこぼれることを防止することができる。  
詳述すると、給餌容器本体の上端の被装着部と飲食物こぼれ防止壁の下端の装着部とを嵌合して愛玩動物用給餌容器を構成したことにより、愛玩動物用給餌容器の側壁の高さは、給餌容器本体の側壁部の高さに飲食物こぼれ防止壁の高さを加えた高さとなる。
【００１２】
さらに、給餌容器本体の被装着部の内部側に飲食物こぼれ防止壁の装着部を嵌合したことにより、仮に、愛玩動物用飲食物が、装着部と被装着部とが嵌合する部分に達しても、装着部の内部側に位置する被装着部は、装着部の上端を愛玩動物用飲食物が乗り越えることを防ぐことができる。
【００１３】
さらにまた、飲食物こぼれ防止壁を下端から上端に向けて徐々に外形を小さく形成し、給餌容器本体の被装着部の内部側に飲食物こぼれ防止壁の装着部を嵌合したことにより、仮に、飲食物こぼれ防止壁の上方まで持ち上げられた液状の愛玩動物用飲食物が飲食物こぼれ防止壁の外面にこぼれても、愛玩動物用給餌容器は、飲食物こぼれ防止壁を伝って装着部と被装着部との間から液状の愛玩動物用飲食物を愛玩動物用給餌容器の内部へ戻すことができる。
【００１４】
したがって、側壁の高さが高くなった愛玩動物用給餌容器は、被装着部の内部側に装着部を嵌合させるとともに、飲食物こぼれ防止壁を下端から上端に向けて徐々に外形を小さく形成したことによって、愛玩動物用飲食物が給餌容器本体からこぼれることを防止することができる。
【００１５】
この発明の態様として、前記給餌容器本体の前記被装着部に、前記内部側に嵌合する前記飲食物こぼれ防止壁の前記装着部の下端を支持する支持部を備えることができる。  
この発明により、愛玩動物用給餌容器は、給餌容器本体から愛玩動物用飲食物が食べこぼれることを、より確実に防止することができる。
【００１６】
詳述すると、支持部は、被装着部の内部側に位置する装着部の下端を支持するように、被装着部に備えられているため、つまり、給餌容器本体と飲食物こぼれ防止壁との組み付け状態において被装着部の内部側に位置する支持部は、装着部と被装着部との間に形成される隙間の下方を塞ぐように配置するため、愛玩動物用給餌容器は、愛玩動物用飲食物が装着部と被装着部との隙間を通過して、給餌容器本体の外部へこぼれることを防止できる。
【００１７】
さらに、被装着部の内部側に位置する装着部の下端を支持するように、被装着部に備えられているため、給餌容器本体に対する飲食物こぼれ防止壁の位置を保持して、飲食物こぼれ防止壁が意図せず給餌容器本体の内部に落下することを確実に防止できる。
【００１８】
また、この発明の態様として、前記給餌容器本体の底板を、可撓性を有する材料で構成し、前記底板に、環状の接地部と、該接地部の環内で上方に凹む凹部とを備え、少なくとも前記接地部に、合成樹脂製の密着部材を備えることができる。
【００１９】
上記密着部材は、大きな摩擦力を有する合成樹脂であることが望ましい。  
この発明により、愛玩動物用給餌容器は、給餌容器本体から愛玩動物用飲食物が食べこぼれることを、より確実に防止することができる。
【００２０】
詳述すると、給餌容器本体の底板を、可撓性を有する材料で構成し、底板に、環状の接地部と、該接地部の環内で上方に凹む凹部とを備えたことにより、接地面と接する接地部の内部における凹部を、上方から下方に押し込むことができる。
【００２１】
押し込まれた凹部は、押し込まれる前の形状に戻ろうとする復元力によって、上方へ凹むような形状に復帰するため、接地部に備えられた密着部材によって密閉された凹部と接地面との間の空間は、減圧状態になる。
【００２２】
したがって、凹部と接地面との間の空間が減圧状態になった給餌容器本体は、接地面に対して吸着するため、愛玩動物用飲食物を飲食する愛玩動物の舌や口を含む頭部や前足を含む胴体が愛玩動物用給餌容器に接触しても、愛玩動物用給餌容器が動いて給餌容器本体の外部へ愛玩動物用飲食物がこぼれ出ることを防止できる。
【００２３】
また、この発明の態様として、前記飲食物こぼれ防止壁の上端を封止する蓋体を備えることができる。  
この発明により、給餌容器本体に愛玩動物用飲食物を入れたまま、愛玩動物用給餌容器を外出先まで持ち運ぶことができるとともに、愛玩動物に愛玩動物用飲食物を飲食させる際は、蓋体を飲食物こぼれ防止壁から取り外すだけで、飲食させることができる。
【００２４】
また、この発明は、上記愛玩動物用給餌容器と、該愛玩動物用給餌容器における前記給餌容器本体の前記側壁部の外周を囲うとともに、前記愛玩動物用給餌容器を愛玩動物用ケージに取り付け可能な略環状の容器取り付けリングとで構成し、前記給餌容器本体における前記被装着部を、前記支持部が前記側壁部の外側に突出する突出被装着部とし、前記愛玩動物用給餌容器における前記給餌容器本体に、前記側壁部から水平方向外側に突出する突出部を備え、前記突出被装着部と前記突出部とを、互いの間で前記容器取り付けリングを挟持可能に形成した容器取り付け構造付き愛玩動物用給餌容器であることを特徴とする。
【００２５】
この発明により、愛玩動物用給餌容器が、容器取り付けリングから外れて、給餌容器本体の内部の愛玩動物用飲食物が飛散することを防止しつつ、愛玩動物用ケージ内の愛玩動物に対して愛玩動物用飲食物を飲食させることができる。
【００２６】
詳述すると、給餌容器本体の突出被装着部における支持部は、容器取り付けリングに載置可能であるとともに、突出被装着部とともに容器取り付けリングを挟持するように給餌容器本体の側面部から突出する突出部は、下方からの外力で給餌容器本体が容器取り付けリングから外れることを防止する。
【００２７】
したがって、突出被装着部および突出部は、愛玩動物用給餌容器を容器取り付けリングに取り付けて、愛玩動物用ケージ内の愛玩動物に対して愛玩動物用飲食物を飲食させることができ、飲食する際に、意図せず愛玩動物が愛玩動物用給餌容器を下方から押しても、愛玩動物用給餌容器が容器取り付けリングから外れて、給餌容器本体の内部の愛玩動物用飲食物が飛散することを防止できる。
【発明の効果】
【００２８】
本発明は、愛玩動物用飲食物が食べこぼれることを防止する愛玩動物用給餌容器を提供することができる。
【図面の簡単な説明】
【００２９】
【図１】第１実施形態におけるペット用給餌容器をあらわす図。
【図２】第１実施形態におけるペット用給餌容器をあらわす図。
【図３】第１実施形態におけるペット用給餌容器の使用方法を説明する説明図。
【図４】第２実施形態における容器取り付け構造付きペット用給餌容器をあらわす図。
【図５】第２実施形態におけるペット用給餌容器をあらわす図。
【図６】第２実施形態におけるペット用給餌容器をあらわす図。
【図７】第２実施形態における容器取り付け構造をあらわす斜視図。
【図８】第２実施形態におけるペット用給餌容器を容器取り付け構造に取り付ける方法を説明する説明図。
【図９】他の実施形態をあらわす図。
【図１０】他の実施形態をあらわす図。
【発明を実施するための形態】
【００３０】
この発明の一実施形態を、以下図面を用いて説明する。  
（第１実施形態）  
第１実施形態におけるペット用給餌容器１０について、図１から図３を用いて説明する。  
図１（ａ）は、第１実施形態におけるペット用給餌容器１０の斜視図を示し、図１（ｂ）は、第１実施形態におけるペット用給餌容器１０の平面図を示し、図１（ｃ）は、第１実施形態におけるペット用給餌容器１０の底面図を示している。
【００３１】
図２（ａ）は、第１実施形態におけるペット用給餌容器１０の正面図を示し、図２（ｂ）は、第１実施形態におけるペット用給餌容器１０の左側面図を示し、図２（ｂ）は、第１実施形態におけるペット用給餌容器１０の右側面図を示し、図２（ｃ）は、図１（ｂ）中のＡ−Ａ矢視断面図を示している。  
図３（ａ）から図３（ｃ）は、この順にペット用給餌容器１０を接地面Ｓに接地する様子をあらわす断面図を示している。
【００３２】
ペット用給餌容器１０は、図１および図２に示すように、容器本体２０の上部に飲食物こぼれ防止壁３０を組み付けて、さらに、該飲食物こぼれ防止壁３０の上部に蓋体４０を組み付けて、平面視円形の中空状に形成することで、ペットの餌や水など（以下、ペット用飲食物と称する）を内部に入れることができる。
【００３３】
容器本体２０は、外形が滑らかな曲面となるように、上方が開口した断面凹状で平面視円形に形成されるとともに、可撓性を有する合成樹脂で形成した内層２１ａと、ゴムで形成した外層２１ｂとの二重構造で構成している。
【００３４】
この容器本体２０の底板２２は、平面視円形に形成されており、中央部分が容器本体２０の内部に凹むように上方に突出した凹部２３を備えるとともに、該凹部２３よりも外側で、平らな接地面５０（図３（ａ）から図３（ｃ）参照）に全体が接地する円環状の接地部２４を備えている。
【００３５】
換言すると、容器本体２０の底板２２は、外縁付近に底面視円環状の接地部２４を備えるとともに、該接地部２４の内部側に、中央部分に向けて徐々に上方に突出するように、容器本体２０の内部に窪んだ凹部２３を備えている。
【００３６】
そして、容器本体２０を接地面５０に接地させた状態において、底板２２における接地部２４全体が接地面５０と接地することで、凹部２３と接地面５０との間に密閉された密閉空間５１を構成している（図３（ａ）から図３（ｃ）参照）。
【００３７】
さらに、容器本体２０の側壁２５は、飲食物こぼれ防止壁３０が着脱可能に装着する本体側装着部２６を上端に備えている。  
本体側装着部２６は、側壁２５の上端において、上方に突出する平面視円環状に形成されるとともに、内層２１ａと一体に形成されており、上下方向において、略中間部分の内面に内部側に突出する凸状部分２７を備えている。
【００３８】
飲食物こぼれ防止壁３０は、光を透過する合成樹脂で構成されており、上方および下方が開口する断面中空形状の平面視円形に形成されるとともに、下方から上方に向けて徐々に外形が小さくなるような滑らかな曲面に形成されている。
【００３９】
なお、飲食物こぼれ防止壁３０の下部は、該飲食物こぼれ防止壁３０の他の部位と比べて板厚が略２倍となるように末広がり形状に形成しているとともに（図３（ｄ）の部分拡大図参照）、上端側の端面が水平方向略内側を向くように形成している。
【００４０】
この飲食物こぼれ防止壁３０は、容器本体２０に組み付けた状態において、下面の外側略半分を、本体側装着部２６の上端と対向する対応面３１とし、下面の内側略半分に、容器本体２０の本体側装着部２６と着脱可能に装着する平面視円環状の第１防止壁側装着部３２を備え、端面が水平方向内側を向く上部を第２防止壁側装着部３３とする。
【００４１】
第１防止壁側装着部３２は、容器本体２０と飲食物こぼれ防止壁３０との組み付け状態において、本体側装着部２６の内側に位置するように、本体側装着部２６よりもわずかに小径となるような平面視円環状に形成されている。
【００４２】
そして、この第１防止壁側装着部３２は、本体側装着部２６の凸状部分２７と凹凸嵌合可能に、外面を飲食物こぼれ防止壁３０の内部に向けて凹ませた凹状部分３４が形成されている。  
なお、飲食物こぼれ防止壁３０は、凸状部分２７と凹状部分３４との嵌合状態、つまり、本体側装着部２６と第１防止壁側装着部３２との装着状態において、飲食物こぼれ防止壁３０の対向面３１と本体側装着部２６の上面とが当接するように形成されている。
【００４３】
蓋体４０は、光を透過する合成樹脂で、中央部分に向けて徐々に上方に突出するように形成された平面視円形の蓋本体４１と、該蓋本体４１の下面から下方に突出し、飲食物こぼれ防止壁３０の上部である第２防止壁側装着部３３に着脱可能に装着する底面視円環状の蓋体側装着部４２と、蓋体４０を飲食物こぼれ防止壁３０から取り外すための摘み部４３とを備えている。
【００４４】
蓋体側装着部４２は、飲食物こぼれ防止壁３０の上方で開口する部分の内側に装着可能な大きさに形成されており、下端が水平方向外側に向けてわずかに突出する突出部分４４を備えている。  
この突出部分４４は、蓋本体４１との間で第２防止壁側装着部３３を挟持可能し、着脱自在に係止する構成である。
【００４５】
摘み部４３は、平面視円弧状の外形となるように、蓋本体４１の外縁から突出しており、側面からみると、先端に向けて徐々に上方に向かうように形成されている。この摘み部４３は、飲食物こぼれ防止壁３０から取り外す際に指で摘むことができるように形成されている。
【００４６】
上述のように構成した飲食物こぼれ防止壁３０は、容器本体２０の上方から飲食物こぼれ防止壁３０を下方に移動させ、第１防止壁側装着部３２を本体側装着部２６の内側に挿入するように装着して、凸状部分２７と凹状部分３４とを凹凸嵌合させることで容器本体２０と飲食物こぼれ防止壁３０とを組み付ける。
【００４７】
蓋体４０は、飲食物こぼれ防止壁３０の上方から下方に移動され、蓋体側装着部４２を第２防止壁側装着部３３の内側に装着して、蓋体側装着部４２の突出部分４４が第２防止壁側装着部３３の下面に係止して、突出部分４４と蓋本体４１とで第２防止壁側装着部３３を挟持するように組み付ける。このとき、蓋体４０は、飲食物こぼれ防止壁３０の上方の開口を封止するように組み付けられる。
【００４８】
なお、上述のように、容器本体２０に飲食物こぼれ防止壁３０を組み付けた後に蓋体４０を組み付けるだけでなく、蓋体４０を組み付けた飲食物こぼれ防止壁３０を容器本体２０に組み付けてもよい。
【００４９】
このように容器本体２０、飲食物こぼれ防止壁３０および蓋体４０を組み付けて構成したペット用給餌容器１０は、内部にペット用飲食物を入れた状態で外出先まで持ち運ぶことができ、外出先においては、蓋体４０の摘み部４３を摘み上げて、ペット用給餌容器１０から蓋体４０を取り外すだけで、内部に入れたペット用飲食物をペットに飲食させることが可能となる。
【００５０】
ペット用給餌容器１０から蓋体４０を外してペットに飲食させる場合は、まず、摘み部４３を摘み上げて、飲食物こぼれ防止壁３０から蓋体４０を取り外し、図３（ａ）に示すように、床などの平らな接地面５０にペット用給餌容器１０を接地する。  
このとき、容器本体２０の底板２２の接地部２４と接地面５０は、全周にわたって密着し、凹部２３と接地面５０との間に密閉された密閉空間５１を構成する。
【００５１】
接地面５０に接地されたペット用給餌容器１０は、図３（ｂ）に示すように、底板２２の凹部２３を下方に押し込まれる（図３（ａ）中の矢印方向）。  
凹部２３を下方に押し込まれたペット用給餌容器１０は、図３（ｃ）に示すように、凹部２３が復元力（図３（ｂ）中の矢印方向）によって、押し込まれる前の凹部２３の形状に復帰する。
【００５２】
上述のように構成したペット用給餌容器１０の作用効果について説明する。  
第１実施形態におけるペット用給餌容器１０は、容器本体２０と飲食物こぼれ防止壁３０とで構成し、容器本体２０の側壁２５の上端に本体側装着部２６を備えるとともに、飲食物こぼれ防止壁３０の下端に第１防止壁側装着部３２を備え、本体側装着部２６の内部側に第１防止壁側装着部３２を着脱自在に装着して構成したことにより、ペット用給餌容器１０は、容器本体２０からペット用飲食物が食べこぼれることを防止することができる。
【００５３】
詳述すると、容器本体２０の本体側装着部２６に飲食物こぼれ防止壁３０の第１防止壁側装着部３２を装着してペット用給餌容器１０を構成したことにより、ペット用給餌容器１０の側壁の高さは、容器本体２０の側壁２５の高さに飲食物こぼれ防止壁３０の高さを加えた高さとなる。
【００５４】
さらに、容器本体２０の本体側装着部２６の内部側に飲食物こぼれ防止壁３０の第１防止壁側装着部３２を装着したことにより、仮に、ペット用飲食物が、本体側装着部２６と第１防止壁側装着部３２とが重なる部分に達しても、本体側装着部２６の内部側に位置する第１防止壁側装着部３２は、本体側装着部２６の上端をペット用飲食物が乗り越えることを防ぐことができる。
【００５５】
さらにまた、飲食物こぼれ防止壁３０を下端から上端に向けて徐々に外形を小さく形成し、容器本体２０の本体側装着部２６の内部側に飲食物こぼれ防止壁３０の第１防止壁側装着部３２を装着したことにより、仮に、飲食物こぼれ防止壁３０の上方まで持ち上げられた液状のペット用飲食物が飲食物こぼれ防止壁３０の外面にこぼれても、ペット用給餌容器１０は、飲食物こぼれ防止壁３０を伝って本体側装着部２６と第１防止壁側装着部３２との間から液状のペット用飲食物をペット用給餌容器１０の内部へ戻すことができる。
【００５６】
したがって、側壁の高さが高くなったペット用給餌容器１０は、本体側装着部２６の内部側に第１防止壁側装着部３２を装着させるとともに、飲食物こぼれ防止壁３０を下端から上端に向けて徐々に外形を小さく形成したことによって、ペット用飲食物が容器本体２０からこぼれることを防止することができる。
【００５７】
第１実施形態におけるペット用給餌容器１０は、容器本体２０を、可撓性を有する合成樹脂で形成した内層２１ａと、ゴムで形成した外装２１ｂとの二重構造で構成し、底板２２に、凹部２３および接地部２４を備えたことにより、ペット用給餌容器１０は、容器本体２０からペット用飲食物が食べこぼれることを、より確実に防止することができる。
【００５８】
詳述すると、容器本体２０を、可撓性を有する合成樹脂とゴムで構成し、底板２２の接地部２４の環内で上方に凹む凹部２３とを備えたことにより、接地面５０と接する接地部２４の内部における凹部２３を、上方から下方に押し込むことができる。
【００５９】
押し込まれた凹部２３は、押し込まれる前の形状に戻ろうとする復元力によって、上方へ凹むような形状に復帰するため、容器本体２０を構成するゴムで形成した外層２１ｂによって密閉された凹部２３と接地面５０との間の密閉空間５１は、減圧状態になる。
【００６０】
したがって、凹部２３と接地面５０との間の密閉空間５１が減圧状態になった容器本体２０は、接地面５０に対してずれることを防止するため、ペット用飲食物を飲食するペットの舌や口を含む頭部や前足を含む胴体がペット用給餌容器１０に接触することで、ペット用給餌容器１０が動いて、容器本体２０の外部へペット用飲食物がこぼれ出ることを防止できる。
【００６１】
第１実施形態におけるペット用給餌容器１０は、飲食物こぼれ防止壁３０の上端を封止する蓋体４０を備えたことにより、ペット用給餌容器２０を外出する際に、容器本体２０にペット用飲食物を入れたまま、外出先まで持ち運ぶことができるとともに、ペットにペット用飲食物を飲食させる際は、蓋体４０を飲食物こぼれ防止壁３０から取り外すだけで、飲食させることができる。
【００６２】
第１実施形態におけるペット用給餌容器１０は、底板２２に、中央部分が容器本体２０の内部に凹むように上方に突出した凹部２３を備えたことにより、合成樹脂製品特有のヒケなどが意図せず形成されて目立つことを抑制することができる。
【００６３】
詳述すると、一般的に、合成樹脂製品を成形する場合は、高温で液状の合成樹脂が低温になって硬化する際に、形状が収縮して窪んだヒケなどを形成するおそれがある。このような場合において、仮に、底板２２に凹部２３を備えず、底板２２を平板とした場合、ヒケなどが形成する凹凸が目立ったり、机などの平らな接地面５０に容器本体２０を接地した際に、容器本体２０がガタついて不安定となる。
【００６４】
しかし、本実施形態の容器本体２０は、底板２２に凹部２３を備えたことによって、ヒケなどが形成する凹凸が目立つことを抑制することができるとともに、底板２２に生じたヒケなどの影響によって、容器本体２０が机などの接地面５０に対してガタつくことを低減することができる。
【００６５】
第１実施形態におけるペット用給餌容器１０は、本体側装着部２６と第１防止壁側装着部３２との装着状態において、飲食物こぼれ防止壁３０の対向面３１と本体側装着部２６の上面とが当接するように形成したことにより、飲食物こぼれ防止壁３０が、意図せず容器本体２０の内部に落下することを防止できる。
【００６６】
以上のように、第１実施形態におけるペット用給餌容器１０は、蓋体４０を備え、持ち運ぶことに特化した態様であるが、以下では、第２実施形態として、特に、ペットケージなどに取り付け固定することに特化したペット用給餌容器１０ａについて説明する。
【００６７】
ただし、以下で説明する第２実施形態におけるペット用給餌容器１０ａの構成のうち、上述した第１実施形態におけるペット用給餌容器１０と同様の構成については、同一の符号を付して、その説明を省略する。
【００６８】
（第２実施形態）  
第２実施形態におけるペット用給餌容器１０ａと容器取り付け構造６０とを組み付けて構成する容器取り付け構造付きペット用給餌容器１について、図４から図８を用いて説明する。
【００６９】
図４（ａ）は、容器取り付け構造付きペット用給餌容器１をあらわす斜視図を示し、図４（ｂ）は、図４（ａ）中のＢ−Ｂ矢視断面図を示している。  
図５（ａ）は、第２実施形態におけるペット用給餌容器１０ａの斜視図を示し、図５（ｂ）は、第２実施形態におけるペット用給餌容器１０ａの平面図を示し、図５（ｃ）は、第２実施形態におけるペット用給餌容器１０ａの底面図を示している。
【００７０】
図６（ａ）は、第２実施形態におけるペット用給餌容器１０ａの正面図を示し、図６（ｂ）は、第２実施形態におけるペット用給餌容器１０ａの左側面図を示し、図６（ｃ）は、図５（ｃ）中のＣ−Ｃ矢視断面図を示している。
【００７１】
図７は、第２実施形態における容器取り付け構造６０をあらわす斜視図を示し、図８（ａ）から図８（ｃ）は、この順にペット用給餌容器１０ａを容器取り付け構造６０に取り付ける様子を説明する説明図を示している。
【００７２】
容器取り付け構造付きペット用給餌容器１は、図４（ａ）および図４（ｂ）に示すように、ペット用給餌容器１０ａを容器取り付け構造６０に取り付けて構成しており、ペットケージ（図示省略）に取り付けることができる。
【００７３】
まず、第２実施形態におけるペット用給餌容器１０ａは、図５および図６に示すように、容器本体２０ａの上部に飲食物こぼれ防止壁３０を組み付けて、平面視円形の中空状に形成することで、ペットの餌や水など（以下、ペット用飲食物と称する）を内部に入れることができる。
【００７４】
容器本体２０ａは、第１実施形態における容器本体２０と同様に、外形が滑らかな曲面となるように、上方が開口した断面凹状で平面視円形に形成されるとともに、可撓性を有する合成樹脂で形成されている。
【００７５】
この容器本体２０ａは、上述のように容器取り付け構造６０に取り付けられるため、第１実施形態のようにゴムで形成した外層２１ａを有する二重構造にせずに、合成樹脂のみで構成した底板２２と側壁２５ａとで構成している。
【００７６】
側壁２５ａは、飲食物こぼれ防止壁３０が着脱可能に装着するとともに、外側に突出する本体側突出装着部２６ａと、該本体側突出装着部２６ａよりも下方で外側に突出する突出部２８とを備えている。
【００７７】
本体側突出装着部２６ａは、側壁２５ａの上端において、側壁２５ａよりも外側で上方に突出する平面視円環状に形成されており、本体側突出装着部２６ａの下端と側壁２５ａの上端とを連結する連結部２９を備えている。  
つまり、本体側突出装着部２６ａは、断面形状が、略Ｌ字状となるように形成されている（図６（ｃ）の部分拡大図参照）。
【００７８】
そして、この本体側突出装着部２６ａは、飲食物こぼれ防止壁３０の第１防止壁側装着部３２よりも、上下方向にわずかに短く形成されており、容器本体２０ａと飲食物こぼれ防止壁３０との組み付け状態において、連結部２９と第１防止壁側装着部３２の下端とは当接する構成であるため、本体側突出装着部２６ａの上端と対向面３１とはわずかに離間している。
【００７９】
突出部２８は、側壁２５ａの外面に、上下方向における容器本体２０ａの中心軸に対向する２つの突出部２８，２８で構成されており、これら突出部２８，２８は、連結部２９と所定間隔隔てた下方に配置され、連結部２９とともに後述する容器取り付け構造６０の容器取り付け部６４を挟持可能に構成されている。  
なお、突出部２８の突出量は、径方向における連結部２９の長さと略同等である。
【００８０】
次に、容器取り付け構造６０は、図７に示すように、取り付け構造本体６１と、ペット用給餌容器１０ａを取り付ける略円環状の容器取り付けリング６２と、ペットケージに取り付け構造本体６１を取り付けるための螺子付き取り付け具６３とで構成されている。
【００８１】
取り付け構造本体６１は、容器取り付けリング６２を回動可能に取り付けており、容器取り付けリング６２の反対側に螺子付き取り付け具６３と螺合可能な螺子止め部（図示省略）を備えている。
【００８２】
容器取り付けリング６２は、１本の金属製の棒を、中間部分が略円環状に、両端側が平行な直線状になるように曲げて形成しており、略円環状の部分を、ペット用給餌容器１０ａを取り付ける容器取り付け部６４とし、両端側の直線状の部分を、取り付け構造本体６１に回動可能に取り付ける回動部６５とする。  
螺子付き取り付け具６３は、螺子部６６を備えており、取り付け構造本体６１の螺子止め部と螺合する構成である。
【００８３】
容器取り付け構造６０は、上述のように構成した螺子付き取り付け具６３の螺子部６６を、ペットゲージの網目に挿通して、ペットケージの網目を挟み込むように取り付け構造本体６１の螺子止め部と螺着して取り付ける構成である。
【００８４】
上述のように構成したペット用給餌容器１０ａは、第１実施形態で述べたように、容器本体２０ａと飲食物こぼれ防止壁３０とを組み付ける。  
このとき、飲食物こぼれ防止壁３０の対向面４１は、容器本体２０ａにおける底板２２の上端と、わずかに離間した状態で対向している。
【００８５】
このように組み付けられて構成したペット用給餌容器１０ａは、ペットケージの網目に螺子部６６を挿通した螺子付き取り付け具６３と、容器取り付けリング６２を回動可能に取り付けた取り付け構造本体６１とで、ペットケージの網目を挟み込むように取り付けて構成した容器取り付け構造６０に取り付けられる。
【００８６】
ペット用給餌容器１０ａを容器取り付け構造６０に取り付ける方法は、突出部２８の一方を、図８（ａ）に示すように、容器取り付け構造６０の容器取り付け部６４の下方に通して、突出部２８と連結部２９とで挟持させる。  
次に、突出部２８の他方を、図８（ｂ）に示すように、回動部６５，６５の間に位置するように、連結部２９の全体を容器取り付け部６４に載置する。
【００８７】
そして、ペット用給餌容器１０ａを、図８（ｃ）に示すように、ペット用給餌容器１０ａの上下方向に延びる中心軸まわりに回転させて、突出部２８，２８が、連結部２９とともに容器取り付け部６４を挟持して容器取り付け構造付きペット用給餌容器１を構成する。
【００８８】
上述のように構成する容器取り付け構造付きペット用給餌容器１における作用効果について説明する。  
本実施形態における容器取り付け構造付きペット用給餌容器１は、ペット用給餌容器１０ａと容器取り付け構造６０とで構成し、容器本体２０ａに備えた本体側突出装着部２６ａと突出部２８とで、容器取り付け構造６０の容器取り付け部６４を挟持可能に構成したことにより、ペット用給餌容器１０ａが、容器取り付け構造６０から外れて、ペット用給餌容器１０ａの内部に入れたペット用飲食物が飛散することを防止しつつ、ペットケージ内のペットに対してペット用飲食物を飲食させることができる。
【００８９】
詳述すると、容器本体２０ａの突出部２８における連結部２９は、容器取り付け部６４に載置可能であるとともに、連結部２９とともに容器取り付け部６４を挟持するように容器本体２０ａの側壁２５ａから突出する突出部２８は、下方からの外力で容器本体２０ａが容器取り付け部６４から外れることを防止する。
【００９０】
したがって、本体側突出装着部２６ａおよび突出部２８は、ペット用給餌容器１０ａを容器取り付け構造６０に取り付けて、ペットケージ内のペットに対してペット用飲食物を飲食させることができ、飲食する際に、意図せずペットがペット用給餌容器を下方から押しても、ペット用給餌容器１０ａが容器取り付け構造６０から外れて、容器本体２０ａの内部に入れたペット用飲食物が飛散することを防止できる。
【００９１】
本実施形態におけるペット用給餌容器１０ａは、容器本体２０ａと飲食物こぼれ防止壁３０とで構成し、該飲食物こぼれ防止壁３０の下端に、容器本体２０ａに装着する第１防止壁側装着部４２を備えるとともに、容器本体２０ａの側壁２５ａの上端に、飲食物こぼれ防止壁３０の第１防止壁側装着部４２の装着を許容する本体側突出装着部２６ａを備え、該本体側突出装着部２６ａの内部側に第１防止壁側装着部４２を着脱自在に嵌合して構成したことにより、容器本体２０ａからペット用飲食物が食べこぼれることを防止することができる。
【００９２】
詳述すると、容器本体２０ａの本体側突出装着部２６ａに飲食物こぼれ防止壁３０の第１防止壁側装着部４２を装着してペット用給餌容器１０ａを構成したことにより、ペット用給餌容器１０ａの側壁の高さは、容器本体２０ａの側壁２５ａの高さに飲食物こぼれ防止壁３０の高さを加えた高さとなる。
【００９３】
さらに、容器本体２０ａの本体側突出装着部２６ａの内部側に飲食物こぼれ防止壁３０の第１防止壁側装着部４２を装着したことにより、仮に、ペット用飲食物が、本体側突出装着部２６ａと第１防止壁側装着部４２とが重なる部分に達しても、本体側突出装着部２６ａの内部側に位置する第１防止壁側装着部４２は、本体側突出装着部２６ａの上端をペット用飲食物が乗り越えることを防ぐことができる。
【００９４】
さらにまた、飲食物こぼれ防止壁３０を下端から上端に向けて徐々に外形を小さく形成し、容器本体２０ａの本体側突出装着部２６ａの内部側に飲食物こぼれ防止壁３０の第１防止壁側装着部４２を装着したことにより、仮に、飲食物こぼれ防止壁３０の上方まで持ち上げられた液状のペット用飲食物が飲食物こぼれ防止壁３０の外面にこぼれても、ペット用給餌容器１０ａは、飲食物こぼれ防止壁３０の外面を伝って本体側突出装着部２６ａと第１防止壁側装着部４２との間から液状のペット用飲食物をペット用給餌容器１０ａの内部へ戻すことができる。
【００９５】
したがって、側壁の高さが高くなったペット用給餌容器１０ａは、本体側突出装着部２６ａの内部側に第１防止壁側装着部４２を装着させるとともに、飲食物こぼれ防止壁３０を下端から上端に向けて徐々に外形を小さく形成したことによって、ペット用飲食物が容器本体２０ａからこぼれることを防止することができる。
【００９６】
本実施形態におけるペット用給餌容器１０ａは、容器本体２０ａの本体側突出装着部２６ａに、内部側に嵌合する飲食物こぼれ防止壁３０の第１防止壁側装着部４２の下端を支持する連結部２９を備えたことにより、容器本体２０ａからペット用飲食物が食べこぼれることを、より確実に防止することができる。
【００９７】
詳述すると、連結部２９は、本体側突出装着部２６ａの内部側に位置する第１防止壁側装着部４２の下端を支持するように、本体側突出装着部２６ａに備えられているため、つまり、容器本体２０ａと飲食物こぼれ防止壁３０との組み付け状態において本体側突出装着部２６ａの内部側に位置する第１防止壁側装着部４２は、本体側突出装着部２６ａと第１防止壁側装着部４２との間に形成される隙間の下方を塞ぐように配置するため、ペット用飲食物が本体側突出装着部２６ａと第１防止壁側装着部４２との隙間を通過して、容器本体２０ａの外部へこぼれることを防止できる。
【００９８】
さらに、本体側突出装着部２６ａの内部側に位置する第１防止壁側装着部４２の下端を支持するように、第１防止壁側装着部４２に備えられているため、容器本体２０ａに対する飲食物こぼれ防止壁３０の位置を保持して、飲食物こぼれ防止壁３０が意図せず容器本体２０ａの内部に落下することを確実に防止できる。
【００９９】
この発明の構成と、上述の実施形態との対応において、
この発明の容器取り付け構造付き愛玩動物用給餌容器は、実施形態の容器取り付け構造付きペット用給餌容器１に対応し、
以下同様に、
愛玩動物用給餌容器は、ペット用給餌容器１０，１０ａ，１００に対応し、
給餌容器本体は、容器本体２０に対応し、
被装着部は、本体側装着部２６に対応し、
支持部は、連結部２９に対応し、
密着部材は、外層２１ｂに対応し、
装着部は、第１防止壁側装着部３２に対応し、
突出被装着部は、本体側突出装着部２６ａに対応するが、
この発明は、上述の実施形態の構成のみに限定されるものではなく、多くの実施の形態を得ることができる。
【０１００】
例えば、第１実施形態におけるペット用給餌容器１０は、上述した構成だけに限らず、図９（ａ）から図９（ｅ）に示すように、容器本体２００を構成する外層２１０ｂの上端を波状に形成した側壁２５０で構成したペット用給餌容器１００であってもよい。
【０１０１】
なお、図９（ａ）は、ペット用給餌容器１００の斜視図を示し、図９（ｂ）は、ペット用給餌容器１００の正面図を示し、図９（ｃ）は、ペット用給餌容器１００の背面図を示し、図９（ｄ）は、ペット用給餌容器１００の左側面図を示し、図９（ｅ）は、ペット用給餌容器１００の右側面図を示している。
【０１０２】
これにより、ペット用給餌容器１００の外観に独自性を付与することができる。  
さらに、外層２１０ｂは、上端を波状に形成することだけに限らず、少なくとも接地部２４０に備えられていれば、適宜の形状に形成することができる。
【０１０３】
また、例えば、第２実施形態におけるペット用給餌容器１０ａは、上述したように、容器本体２０ａと飲食物こぼれ防止壁３０とで構成することだけに限らず、図１０に示すように、第１実施形態におけるペット用給餌容器１０を構成する蓋体４０を備えたペット用給餌容器１００ａであってもよい。  
なお、図１０は、ペット用給餌容器１０ａの断面図を示している。
【０１０４】
これにより、ペット用給餌容器１００ａは、ペット用飲食物を入れた状態でペットケージに取り付けられていても、ペット用給餌容器１００ａの内部にほこりが入ることなくペット用飲食物を保管することができる。
【符号の説明】
【０１０５】
１…容器取り付け構造付きペット用給餌容器
１０，１０ａ，１００，１００ａ…ペット用給餌容器
２０，２０ａ，２００…容器本体
２１ａ…内層
２１ｂ，２１０ｂ…外層
２２…底板
２３…凹部
２４，２４０…接地部
２５，２５ａ，２５０…側壁
２６…本体側装着部
２６ａ…本体側突出装着部
２７…凸状部分
２８…突出部
２９…連結部
３０…飲食物こぼれ防止壁
３１…対向面
３２…第１防止壁側装着部
３３…第２防止壁側装着部
３４…凹状部分
４０…蓋体
４１…蓋本体
４２…蓋体側装着部
４３…摘み部
４４…突出部分
５０…接地面
５１…密閉空間
６０…容器取り付け構造
６１…取り付け構造本体
６２…容器取り付けリング
６３…螺子付き取り付け具
６４…容器取り付け部
６５…回動部
６６…螺子部
【図１】
0006309851.tif 000002
【図２】
0006309851.tif 000003
【図３】
0006309851.tif 000004
【図４】
0006309851.tif 000005
【図５】
0006309851.tif 000006
【図６】
0006309851.tif 000007
【図７】
0006309851.tif 000008
【図８】
0006309851.tif 000009
【図９】
0006309851.tif 000010
【図１０】
0006309851.tif 000011